(57)【要約】【課題】プロセスカートリッジを分解することなく、装置外部からの着脱を容易にし、帯電装置を形成する放電電極ユニットのメンテナンスの向上を図る。【解決手段】箱体を形成するベースプレートと、その両端に配置される一対の絶縁ブロックとの締結手段を嵌合固定構造とし、放電電極ユニットの長手軸方向に沿った外周面には全く突起のない平面形状として構成する。そして、像担持体の側方からガイド板に沿ってスライドさせながら放電電極ユニットをプロセスカートリッジに挿入し位置決めを行う。【選択図】        図１０
2005043567.tif 000002
【特許請求の範囲】
【請求項１】
断面がコの字型に形成され、長手軸方向に延設されたベースプレートと、
このベースプレートの断面内部において、前記ベースプレートの長手軸方向に張架される放電電極ワイヤと、
前記ベースプレートの長手軸方向の両端にそれぞれ固定され、前記放電電極ワイヤを支持する一対の絶縁ブロックと、
を有して構成される放電電極ユニットであって、
前記ベースプレートと、その両端に配置される前記一対の絶縁ブロックとの締結手段を、互いに嵌め合って固着させる嵌合固定構造とすることにより、前記放電電極ユニットの前記長手軸方向に沿った外周面を突起のない平面形状としたことを特徴とする放電電極ユニット。
【請求項２】
回転する周面を有し、該周面に荷電トナー像を担持する像担持体と、
この像担持体の回転方向と垂直な方向であって前記像担持体の表面に近接して配置され、前記像担持体の表面を帯電させる請求項１に記載の放電電極ユニットと、を有する画像形成装置において、
前記像担持体の像担持面の側方からガイド板に沿ってスライドさせながら前記放電電極ユニットを挿入し、前記像担持体の表面に近接した所定位置に前記放電電極ユニットを装着させることを特徴とする画像形成装置。
【発明の詳細な説明】
【０００１】
【発明が属する技術分野】
本発明は、複写機、プリンタ、ファクシミリ等の画像形成装置に関し、特に円筒状の像担持体に帯電装置を近接配置する場合の装着技術に関する。
【０００２】
【従来の技術】
従来から複写機やレーザプリンタ等の電子写真方式を利用した画像形成装置においては、像担持体、帯電装置あるいは現像装置等の複数のプロセス手段をユニット化してプロセスカートリッジを構成し、画像形成装置本体に対して一体的に抜き差し可能とすることにより、メンテナンスの容易性が図られている。
【０００３】
このプロセスカートリッジはおおよそ図１に示すように、中間転写体ユニット７と４つの感光体１Ｙ，１Ｍ，１Ｃ，１Ｋ、各感光体１Ｙ，１Ｍ，１Ｃ，１Ｋの周囲に配置される４つの現像装置４Ｙ，４Ｍ，４Ｃ，４Ｋ、４つのコロナ放電電極ユニット２Ｙ、２Ｍ、２Ｃ、２Ｋ及び４つのクリーニング手段６Ｙ，６Ｍ，６Ｃ，６Ｋが一体的に構成され、画像形成装置本体に対して抜き差しできる構造となっている。
【０００４】
【特許文献】
特開２００２−１０８０５０（図２参照）
【０００５】
このような構造とすれば、感光体、中間転写体ユニット等を含むプロセスカートリッジを画像形成装置本体から引きだした位置で各部装置のメンテナンス、帯電装置等の構成部品の着脱動作が行えるので操作性も向上する。
【０００６】
しかし、プロセスカートリッジの画像形成装置本体に対する位置決め、帯電装置、現像装置等のプロセスカートリッジに対する位置決め等は画像性能を保持する上で特に重要であり、仮に、この設定位置がずれると出来上がりの画像の鮮鋭性が損なわれたり、現像後の画像濃度が不均一になったりしてしまうことがある。
【０００７】
【発明が解決しようとする課題】
プロセスカートリッジを有するタンデム型の画像形成装置では、感光体の設置位置、現像装置に代表される感光体上に静電潜像を形成するための潜像形成手段の設置位置等、トナー像が位置ずれなく重ね合わされるよう、高精度に配置する必要がある。
【０００８】
一方、感光体、現像装置、帯電装置等は消耗材であり、メンテナンスや寿命のため装置本体から取り外す必要もある。そのため、複数の感光体、現像装置、帯電装置を取り外しやすく、かつ位置決めが容易な構造にすることが求められている。すなわち、メンテナンスのためユーザが作業交換しやすい構造にすることが求められている。
【０００９】
本発明は上記要求を解決するためになされたものであり、本発明の目的は、帯電装置を形成する放電電極ワイヤユニットのメンテナンスを容易にするため、プロセスカートリッジを分解することなく容易に着脱可能とし、かつ位置決めが容易な構造とすることを目的とするものである。
【００１０】
【課題を解決するための手段】
上記目的を達成するため、本発明に係る放電電極ユニットは、断面がコの字型に形成され、長手軸方向に延設されたベースプレートと、このベースプレートの断面内部において、ベースプレートの長手軸方向に張架される放電電極ワイヤと、ベースプレートの長手軸方向の両端にそれぞれ固定され、放電電極ワイヤを支持する一対の絶縁ブロックとを有して構成されている。
【００１１】
そして、箱体を形成するベースプレートと、その両端に配置される一対の絶縁ブロックとの締結手段を、互いに嵌め合って固着させる嵌合固定構造とし、放電電極ユニットの長手軸方向に沿った外周面にはネジ等の全く突起のない平面形状として構成している。
【００１２】
放電電極ユニットをこのような構成にすると、高密度に集約されたプロセスカートリッジあるいは画像形成装置本体の僅かな空間に収容が可能となるだけでなく、スライド移動が可能となって、プロセスカートリッジ等を分解することなく、プロセスカートリッジ側板に設けた穴を通して外部より着脱が可能となる。
【００１３】
本発明に係る画像形成装置は少なくとも、回転する周面を有し、該周面に荷電トナー像を担持する像担持体と、この像担持体の回転方向と垂直な方向であって像担持体の表面に近接して配置され、像担持体の表面を帯電させる前記放電電極ユニットとを有して構成されている。
【００１４】
そして、像担持体の像担持面の側方からガイド板に沿ってスライドさせながら放電電極ユニットを挿入し、像担持体の表面に近接した所定位置に放電電極ユニットを装着させ、位置決めを行う構成とした。
【００１５】
このような構成にすると放電電極ユニットのプロセスカートリッジからの着脱が容易になり、その結果、画像形成装置のメンテナンスが極めて容易となるとともに、感光体ユニットとの位置決めも容易となる。
【００１６】
【発明の実施の形態】
以下、本発明に係る放電電極ユニット及び画像形成装置の実施の形態を、図面を参照しつつ説明する。図１は、本発明の一実施の形態を示すカラー画像形成装置の断面構成図である。
【００１７】
このカラー画像形成装置１１は、タンデム型カラー画像形成装置と称されるもので、複数組の画像形成部１０Ｙ，１０Ｍ，１０Ｃ，１０Ｋと、中間転写ユニット７と、給紙搬送手段２２Ａ，２２Ｂ，２２Ｃ，２３及び定着装置２４とからなる。画像形成装置１１本体の上部には、原稿画像読取装置４０が載置されている。
【００１８】
原稿画像読取装置４０は、原稿を照射するためのランプと原稿からの反射光を反射させる第一ミラーとを一体化してなる第一ミラーユニット４１と、第一ミラーからの光を反射させる第二ミラーと第三ミラーとを略Ｖ字状に一体化してなる第二ミラーユニット４２と、第三ミラーからの反射光を撮像素子上に結像させる結像レンズ４３、及び結像された光像を光電変換して画像情報を得るライン状の撮像素子（ＣＣＤ）４４を有して構成されている。
【００１９】
イエローの画像を形成する画像形成部１０Ｙは、表面に潜像が形成される像担持体としての感光体１Ｙを有しており、感光体１Ｙの外周面に沿って動作順に、この感光体１Ｙの表面をほぼ一様に帯電する帯電手段２Ｙと、感光体表面上に静電潜像の書き込みを行う露光手段３Ｙと、感光体１Ｙの表面に形成された潜像にトナーを転移させてトナー画像を形成する現像装置４Ｙと、感光体表面上のトナー像を中間転写体７０に転写する一次転写手段５Ｙ、及び転写後の感光体１Ｙの表面を清掃するクリーニング装置６Ｙが配設されている。
【００２０】
マゼンタ色の画像を形成する画像形成部１０Ｍも同様に、感光体１Ｍを有し、感光体１Ｍの外周面に沿って、帯電手段２Ｍ、露光手段３Ｍ、現像手段４Ｍ、一次転写手段５Ｍ及びクリーニング装置６Ｍが配設されている。シアン色の画像を形成する画像形成部１０Ｃも同様に、感光体１Ｃを有し、感光体１Ｃの外周面に沿って、帯電手段２Ｃ、露光手段３Ｃ、現像手段４Ｃ、一次転写手段５Ｃ及びクリーニング装置６Ｃが配設されている。黒色画像を形成する画像形成部１０Ｋも同様に、感光体１Ｋを有し、感光体１Ｋの外周面に沿って、帯電手段２Ｋ、露光手段３Ｋ、現像手段４Ｋ、一次転写手段５Ｋ及びクリーニング装置６Ｋが配設されている。
【００２１】
中間転写ユニット７は、複数のローラにより巻回され、回動可能に支持された半導電性エンドレスベルト状の中間転写体７０を有して構成されている。この中間転写体７０は、その背面から一次転写手段５Ｙ，５Ｍ，５Ｃ，５Ｋに押圧されて感光体１Ｙ，１Ｍ，１Ｃ，１Ｋと当接する。
【００２２】
中間転写体７０を巻回している複数のローラの一部を形成するバックアップローラ７１と、中間転写体７０を挟んで対向する位置に配置された転写ローラ５Ａとで二次転写手段（７１，５Ａ）が形成され、転写時には互いに押圧しながら回転している。
【００２３】
このような構成を有する画像形成装置１１では、以下に述べるようにして、カラー画像が記録紙Ｐ上に形成される。画像形成部１０Ｙ，１０Ｍ，１０Ｃ，１０Ｋにより形成された各色の画像は，一次転写手段５Ｙ，５Ｍ，５Ｃ，５Ｋにより回動する中間転写体７０上に逐次転写されて、合成されたカラーのトナー画像が中間転写体７０上に形成される。
【００２４】
一方、記録紙Ｐは給紙カセット２０に収容され、給紙ローラ２１により一枚づつ分離されて搬送路に排出される。排出された記録紙Ｐは複数の中間ローラ２２Ａ，２２Ｂ，２２Ｃ、２２Ｄにガイドされ、レジストローラ２３により給紙タイミングがとられて二次転写手段（７１，５Ａ）に搬送される。
【００２５】
中間転写体７０上に形成されたカラー画像は、二次転写手段（７１，５Ａ）において記録紙Ｐに当接し、転写電界がかけられて記録紙Ｐ上に一括転写される。カラー画像が転写された記録紙Ｐは、定着手段２４により定着処理され、排紙ローラ２５に挟持されて機外の排紙トレイ２６上に載置される。
【００２６】
一方、二次転写手段（７１，５Ａ）より記録紙Ｐにカラー画像を転写した後、記録紙Ｐを曲率分離した中間転写体７０は、クリーニング手段６Ａにより残留トナーが除去される。
【００２７】
図２は、画像形成部１０Ｙ，１０Ｍ，１０Ｃ，１０Ｋと中間転写ユニット７のメンテナンスを容易にするため、画像形成装置１１本体に対して着脱可能に構成したプロセスカートリッジ８の側板をはずした側面図であり、図３はプロセスカートリッジ８を画像形成装置１１本体から引きだした状態を示す斜視図である。プロセスカートリッジ８は感光体の回転軸方向に、レール上をスライドして画像形成装置１１本体から引きだされる。
【００２８】
図４は図２に示すプロセスカートリッジ８の各部を分解して示した模式断面図である。図４に示すように、画像形成部１０Ｙ，１０Ｍ，１０Ｃ，１０Ｋは、中間転写体７０の回動方向に対して垂直に縦列配置されている。中間転写ユニット７は、ローラ７１，７２，７３，７４を巻回して回動可能なエンドレスベルト状の中間転写体７０、一次転写手段５Ｙ，５Ｍ，５Ｃ，５Ｋ及びクリーニング手段６Ａと含んで構成されている。
【００２９】
プロセスカートリッジ８は３つのユニットからなり、画像形成装置１１本体から引き出された後は、各ユニットはプロセスカートリッジ８の枠体から容易に着脱することができるように構成されている。
【００３０】
第一の部分８Ｃは中間転写ユニット７であり、画像形成部１０Ｙ，１０Ｍ，１０Ｃ，１０Ｋから接触を解除することができる。第二の部分８Ｂは現像装置４Ｙ，４Ｍ，４Ｃ，４Ｋを縦列配置して一体化した部分である。第三の部分８Ａはこれら二つの部分を外した残りの画像形成部分であり、感光体１Ｙ，１Ｍ，１Ｃ，１Ｋ、帯電手段２Ｙ，２Ｍ，２Ｃ，２Ｋ、及びクリーニング手段６Ｙ，６Ｍ，６Ｃ，６Ｋを一体化してものである。
【００３１】
第三の部分８Ａの画像形成部分には各感光体１Ｙ，１Ｍ，１Ｃ，１Ｋの周囲に４つの帯電手段２Ｙ，２Ｍ，２Ｃ，２Ｋ、クリーニング手段６Ｙ，６Ｍ，６Ｃ，６Ｋが配置されており、帯電手段２Ｙ，２Ｍ，２Ｃ，２Ｋは放電電極ユニット３０を紙面上方よりガイド板上をスライドして装着できるように構成している。そのため、この放電電極ユニット３０に締結具等の突起が存在すると、よりスムースな装着ができず，感光体１Ｙ，１Ｍ，１Ｃ，１Ｋを傷つける可能性もある。
【００３２】
以下に、本願発明に係る放電電極ユニット３０の構成を示す。図５はその構成部品の位置関係を示す図である。放電電極ユニット３０は長尺状のベースプレート３１と、これと両端で嵌合する前後の絶縁樹脂ブロック３２，３３とから全体の箱体が構成される。
【００３３】
ベースプレート３１はコの字型断面を有する長尺状の板材であり、両端部は前後の絶縁樹脂ブロック３２，３３と嵌合しやすいように形作られている。ベースプレート３１の両側面は中央の高い部分と端部の低い部分とに分かれ、接合部分には段差部３１２が設けられており、低く形成された側面の両端部には係止用のアーム部３１１が上方に延びて形成されている。
【００３４】
また、ベースプレート３１の側面両端には角部３１３が設けられ、嵌合した前後の絶縁樹脂ブロック３２，３３の軸方向と高さ方向へ動きを規制する。底面部にはコの字型内部側に向けて傾斜を有する係止爪（図示しない）が、ベースプレート３１の両端の前後絶縁樹脂ブロック３２，３３との嵌合部分に設けられている。
【００３５】
ベースプレート３１と嵌合する前絶縁樹脂ブロック３２にはプロセスカートリッジ８の側板に当接してベースプレート３１の軸線方向の動きを規制するストッパー３２１が設けられ、両側面部には外部に向けてプロセスカートリッジ８への挿入をガイドするガイド棒３２３が設けられている。
【００３６】
さらにストッパー３２１の反対側に位置する前絶縁樹脂ブロック３２の両端部には後述するグリッドとの係止を可能とする突起部３２４が配置され、内部には放電ワイヤ３４を支持するための二本の支柱３２５，３２５ａが設けられている。
【００３７】
後絶縁樹脂ブロック３３も同様に、両側面部には外部に向けてプロセスカートリッジ８への挿入をガイドするガイド棒３３２，３３２ａが設けられ、後絶縁樹脂ブロック３３の先端両端部には後述するグリッドとの係止を可能とする突起部３３４が配置され、さらに内部には放電ワイヤ３４を支持するための支柱３３５が設けられている。
【００３８】
但し，後絶縁樹脂ブロック３３の場合は、プロセスカートリッジ８へ挿入する場合の手元側の部材であり、プロセスカートリッジ８の側面部材とのストッパー３２１の代わりに、放電ワイヤ３４への二つの接続端子３３１，３３１が配置されている。
【００３９】
前絶縁樹脂ブロック３２をベースプレート３１と嵌合させるには、その底部３２２をベースプレート３１の底部プレート内面に当接させたまま軸線方向にスライド移動させ、ベースプレート３１に設けられた係止爪が後絶縁樹脂ブロック３２の底部３２２に設けられた係止穴と嵌合させる。
【００４０】
前絶縁樹脂ブロック３２の両側面にはガイド棒３２３，３２３ａが設けられており、前絶縁樹脂ブロック３２の係止穴にベースプレート３１の係止爪が嵌合すると、このガイド棒３２３，３２３ａがベースプレート３１の側面に形成された角部３１３に当接して前絶縁樹脂ブロック３２の軸線方向の動きも規制される。
【００４１】
後絶縁樹脂ブロック３３も同様であり、両側面にはガイド棒３３２，３３２ａが設けられ、後絶縁樹脂ブロック３３の係止穴にベースプレート３１の係止爪が嵌合すると、このガイド棒３３２，３３２ａがベースプレート３１の側面に形成された角部に当接して後絶縁樹脂ブロック３３の軸線方向の動きが規制される。
【００４２】
図６は前絶縁樹脂ブロック３２とベースプレート３１とが嵌合された状態の部分図であり、前絶縁樹脂ブロック３２の先端がベースプレート３１の側面段差部３１２まで挿入された状態でガイド棒３２３ａがベースプレート３１の側面角部３１３に当接している。
【００４３】
前後絶縁樹脂ブロック３２，３３、ベースプレート３１ともに図面上方に開口部を有しており、前後絶縁樹脂ブロック３２，３３がベースプレート３１の内部に挿入された時は、ベースプレート３１の側面プレートによって前絶縁樹脂ブロック３２の左右の動きも規制される。
【００４４】
なお、前絶縁樹脂ブロック３２の内部には２本の支柱３２５、３２５ａが設けられており、ストッパー３２１側の支柱３２５には端部をＯリングに形成された放電ワイヤ３４がベースプレート３１の軸線方向に、後絶縁樹脂ブロック３３まで延設されている。
【００４５】
図７は後絶縁樹脂ブロック３３とベースプレート３１とが嵌合された状態の部分図であり、後絶縁樹脂ブロック３３の先端がベースプレート３１の側面段差部３１２まで挿入された状態でガイド棒３３２、３３２ａがベースプレート３１の側面角部３１３に当接している。
【００４６】
後絶縁樹脂ブロック３３の内部には被フック部材３３６が設けられており、前絶縁樹脂ブロック３２から延設された放電ワイヤ３４が張力調整用のスプリング３５を介して被フック部材３３６に繋止されて張架される。
【００４７】
前後絶縁樹脂ブロック３２，３３とベースプレート３１は開口部を同じ側面にして嵌合しているので、いわゆる感光体１Ｙ，１Ｍ，１Ｃ，１Ｋに対面する側面は開放状態となっている。そこで、図８に示すように、前後絶縁樹脂ブロック３２、３３の開放部には蓋部材３７，３８が載置される。
【００４８】
図８はベースプレート３１、前絶縁樹脂ブロック３２の開口部にグリッド３６、蓋部材３８を配して構成された放電電極ユニット３０の部分図である。
【００４９】
前絶縁樹脂ブロック３２の蓋部材３８は、平面板状の樹脂により構成され、ほぼ４５度の角度で折り曲げられた傾斜端部３８１を有し、前絶縁樹脂ブロック３２の開口面に沿って一対のアーム部材３１１，３１１の間を軸線方向からスライドして装着される。先端がベースプレート３１の側面段差部３１２まで挿入されると、傾斜端部３８１が前絶縁樹脂ブロック３２の側面に設けられた傾斜と当接して前絶縁樹脂ブロック３２の開口部を覆うことができる。
【００５０】
この蓋部材３８はベースプレート３１の開口部側に傾斜された一対のアーム部材３１１，３１１の間を通過するため、蓋部材３８の両側部上端角部に傾斜が設けられ、挿入が容易に形成されているとともに、一対のアーム部材３１１，３１１を内側に傾斜させることによって上から押圧し、蓋部材３８を前絶縁樹脂ブロック３２に圧接している。
【００５１】
一方、蓋部材３８の外面の中央にはほぼＶ字型の切り込みが設けられた位置決めブロック３９が形成されている。この位置決めブロック３９の高さはベースプレート３１の側面高さと一致しており、プロセスカートリッジ８に挿入時の突起とならないよう構成されているとともに、挿入された時にはプロセスカートリッジ８に設けられた位置決め用突起（図示しない）と嵌合して、感光体１Ｙ，１Ｍ，１Ｃ，１Ｋに対する放電電極ユニット３０の位置が決定されるように構成されている。
【００５２】
図９はベースプレート３１、後絶縁樹脂ブロック３３の開口部にグリッド３６、蓋部材３７を配して構成された放電電極ユニット３０の部分図である。この後絶縁樹脂ブロック３３の蓋部材３７も同様に、平面板状の樹脂により構成され、後絶縁樹脂ブロック３３の開口面に沿って一対のアーム部材３１１、３１１の間を軸線方向からスライドして装着される。
【００５３】
この蓋部材３７もベースプレート３１の開口部側に傾斜された一対のアーム部３１１、３１１の間を通過するため、蓋部材３７の両側部上端角部に傾斜が設けられ、挿入が容易に形成されている。先端がベースプレート３１の側面段差部３１３まで挿入されると、蓋部材３７の両側部上端角部とガイド棒３３２，３３２ａ等がベースプレート３１に当接して後絶縁樹脂ブロック３３の開口部を覆うことができる。この蓋部材３７も一対のアーム部材３１１，３１１を内側に傾斜させることによって上から押圧され、後絶縁樹脂ブロック３３に圧着される。
【００５４】
一方、ベースプレート３１の開口部には平面網目状のグリッド３６が配される。グリッド３６の一方の端部はベースプレート３１の端部に形成された一対のアーム部材３１１によって係止され（図９）、他端部はそれぞれスプリング３６１を介して両端が張架され、そのスプリング３６１の他端フック部がベースプレート３１端部に形成された一対のアーム部材３１１，３１１にそれぞれ係止されて固定されている（図８）。
【００５５】
図１０は組み立てが完了した放電電極ユニット３０の外観図である。放電電極ユニット３０はストッパー部材３２１の設けられた前絶縁樹脂ブロック３２の先端から、ガイド棒３２３，３３２とプロセスカートリッジ８に設けられたガイド板にガイドされてプロセスカートリッジ８内に挿入されていく。このとき、図１０に示すように、放電電極ユニット３０の４側面にはネジ等の突起物がない平面上となっているためスムースに挿入を完了することができる。
【００５６】
挿入後は開口面側に設けられた一対の位置決めブロック３９がプロセスカートリッジ８に設けられた位置決め部材と嵌合して放電電極ユニット３０の感光体表面に対する位置を決定している。
【００５７】
【発明の効果】
以上説明したように、放電電極ユニットの長手軸方向に沿った外周面にネジなどの締結具による突起がない平面形状とすると、高密度に集約されたプロセスカートリッジあるいは画像形成装置本体の僅かな空間に収容が可能となるだけでなく、スライド移動が可能となって、プロセスカートリッジ等を分解することなく、側板に設けた穴を通して外部より着脱が可能となる。
【００５８】
その結果、放電電極ユニットのプロセスカートリッジからの着脱が容易になり、画像形成装置のメンテナンスが極めて容易となるとともに、感光体ユニットとの位置決めも極めて容易となる。
【図面の簡単な説明】
【図１】本発明の一実施の形態を示すカラー画像形成装置の断面構成図である。
【図２】プロセスカートリッジの側板をはずした側面図である。
【図３】プロセスカートリッジを画像形成装置本体から引きだした状態を示す斜視図である。
【図４】図２に示すプロセスカートリッジの各部を分解して示した模式断面図である。
【図５】本願発明に係る放電電極ユニットの構成部品の位置関係を示す図である。
【図６】前絶縁樹脂ブロックとベースプレートとが嵌合された状態の部分図である。
【図７】後絶縁樹脂ブロックとベースプレートとが嵌合された状態の部分図である。
【図８】放電電極ユニットの部分図である。
【図９】放電電極ユニットの部分図である。
【図１０】組み立てが完了した放電電極ユニットの外観図である。
【符号の説明】
１Ｙ，１Ｍ，１Ｃ，１Ｋ    感光体
２Ｙ，２Ｍ，２Ｃ，２Ｋ    帯電手段
４Ｙ，４Ｍ，４Ｃ，４Ｋ    現像装置
５Ａ      転写ローラ
５Ｙ，５Ｍ，５Ｃ，５Ｋ    一次転写装置
７        中間転写ユニット
８        プロセスカートリッジ
１０Ｙ，１０Ｍ，１０Ｃ，１０Ｋ    画像形成部
１１      画像形成装置
３０      放電電極ユニット
３１      ベースプレート
３２      前絶縁樹脂ブロック
３３      後絶縁樹脂ブロック
３４      放電ワイヤ
３５      スプリング
３６      グリッド
４０      原稿画像読取装置
７０      中間転写体
【図１】
2005043567.tif 000003
【図２】
2005043567.tif 000004
【図３】
2005043567.tif 000005
【図４】
2005043567.tif 000006
【図５】
2005043567.tif 000007
【図６】
2005043567.tif 000008
【図７】
2005043567.tif 000009
【図８】
2005043567.tif 000010
【図９】
2005043567.tif 000011
【図１０】
2005043567.tif 000012